(57)【要約】【課題】用紙プロパティの設定が容易な画像形成装置の提供。【解決手段】画像形成装置Ｐｓは、予め登録された用紙プロパティと、ユーザ操作に応じて変更可能に登録された用紙プロパティと、を記憶する用紙プロパティ記憶部９ａと、用紙プロパティ記憶部９ａに記憶する用紙プロパティの候補を記憶する候補記憶部９ｂと、用紙プロパティ記憶部９ａに記憶されている用紙プロパティが表示されると共に設定する用紙プロパティが選択される用紙プロパティ選択画面、候補記憶部９ｂに記憶されている用紙プロパティの候補が表示されると共に用紙プロパティ記憶部９ａに記憶する用紙プロパティが選択される用紙プロパティ編集画面、候補記憶部９ｂに記憶する用紙プロパティの候補の各用紙パラメータを設定する候補編集登録画面を表示する表示部８とを備える。【選択図】図２
2015004732.tif 000002
【特許請求の範囲】
【請求項１】
用紙が載置された用紙トレイを備え、該用紙トレイから搬出した前記用紙に対して、用紙パラメータの組である用紙プロパティに従って画像形成を行う画像形成装置であって、
予め登録された前記用紙プロパティと、ユーザ操作に応じて変更可能に登録された前記用紙プロパティと、を記憶する用紙プロパティ記憶部と、
前記用紙プロパティ記憶部に記憶する用紙プロパティの候補を記憶する候補記憶部と、
前記用紙プロパティ記憶部に記憶されている前記用紙プロパティが表示されると共に、該表示された用紙プロパティの中から前記用紙トレイに設定する用紙プロパティを選択可能とした用紙プロパティ選択画面、
前記候補記憶部に記憶されている前記用紙プロパティの候補が表示されると共に、該表示された用紙プロパティの候補の中から前記用紙プロパティ記憶部に上書き記憶または新規記憶する前記用紙プロパティを選択可能とした用紙プロパティ編集画面、及び、
前記候補記憶部に記憶する前記用紙プロパティの候補の各用紙パラメータを設定する候補編集登録画面を表示する表示部とを備えることを特徴とする画像形成装置。
【請求項２】
前記用紙プロパティ記憶部は、変更可能に登録された前記用紙プロパティについては当該変更を行ったユーザと紐付けて記憶し、
前記表示部は、前記変更可能に登録された用紙プロパティについては当該変更を行ったユーザが判別可能に前記用紙プロパティ選択画面を表示することを特徴とする請求項１に記載の画像形成装置。
【請求項３】
前記用紙プロパティ記憶部は、変更可能に登録された前記用紙プロパティについては当該変更を行ったユーザと紐付けて記憶し、
前記表示部は、前記変更可能に登録された用紙プロパティについては当該変更を行ったユーザ以外が選択できないように前記用紙プロパティ選択画面を表示することを特徴とする請求項１または２に記載の画像形成装置。
【請求項４】
前記予め登録された用紙プロパティは、管理者のみ変更可能であることを特徴とする請求項１〜３のいずれか１項に記載の画像形成装置。
【発明の詳細な説明】
【技術分野】
【０００１】
本発明は、画像形成装置に関し、詳しくは、用紙の分類に応じた画像形成を行う画像形成装置に関するものである。
【背景技術】
【０００２】
印刷装置等の画像形成装置に用いられる画像形成対象の記録媒体としては、用紙が多く用いられ、また、市場には、性質の異なる様々な用紙が市販されており、画像形成装置はなるべく多くの用紙に対応できることが望まれている。
従来、画像形成装置は、性質の異なる用紙に対して適切な定着温度や転写電流等の用紙パラメータを設定することで、最良の品質で印刷できるように構成されている。
【０００３】
用紙種別毎の用紙パラメータの設定は、例えば、以下の方法で行われる。すなわち、予め想定した用紙種別毎に用紙パラメータを画像形成装置に登録しておく。そして、ユーザが、上記予め想定した用紙種別のうち使用するものを選択したときに、画像形成装置では、選択された用紙種別に対して登録された用紙パラメータの組を設定し、画像形成を行う。
【０００４】
しかし、全ての用紙種別に対して適切な用紙パラメータを予め登録しておくことは不可能である。そのため、特許文献１の画像形成装置では、予め想定した代表的ないくつかの用紙種別について、用紙種別毎に用紙パラメータがプリセット設定値として管理者などにより予め登録されている他に、タッチパネル等を介してユーザから入力された用紙パラメータをカスタム設定値として保持し、プリセット値／カスタム設定値に基づいて画像形成を行う。これにより、予め想定された用紙種別以外の用紙種別についても適切な画像形成ができるようになっている。
【先行技術文献】
【特許文献】
【０００５】
【特許文献１】特開２００３−２７０８７２号公報
【発明の開示】
【発明が解決しようとする課題】
【０００６】
しかし、用紙パラメータの組である用紙プロパティを頻繁に変更する商業印刷では、特許文献１に開示の画像形成装置より簡単に用紙プロパティを設定できることが求められる。
【０００７】
本発明は、上述の実情に鑑みてなされたもので、用紙プロパティの設定が容易な画像形成装置を提供することを目的とする。
【課題を解決するための手段】
【０００８】
上記課題を解決するために、本発明の第１の技術手段は、用紙が載置された用紙トレイを備え、該用紙トレイから搬出した前記用紙に対して、用紙パラメータの組である用紙プロパティに従って画像形成を行う画像形成装置であって、予め登録された前記用紙プロパティと、ユーザ操作に応じて変更可能に登録された前記用紙プロパティと、を記憶する用紙プロパティ記憶部と、前記用紙プロパティ記憶部に記憶する用紙プロパティの候補を記憶する候補記憶部と、前記用紙プロパティ記憶部に記憶されている前記用紙プロパティが表示されると共に、該表示された用紙プロパティの中から前記用紙トレイに設定する用紙プロパティを選択可能とした用紙プロパティ選択画面、前記候補記憶部に記憶されている前記用紙プロパティの候補が表示されると共に、該表示された用紙プロパティの候補の中から前記用紙プロパティ記憶部に上書き記憶または新規記憶する前記用紙プロパティを選択可能とした用紙プロパティ編集画面、及び、前記候補記憶部に記憶する前記用紙プロパティの候補の各用紙パラメータを設定する候補編集登録画面を表示する表示部とを備えることを特徴としたものである。
【０００９】
本発明の第２の技術手段は、第１の技術手段において、前記用紙プロパティ記憶部が、変更可能に登録された前記用紙プロパティについては当該変更を行ったユーザと紐付けて記憶し、前記表示部が、前記変更可能に登録された用紙プロパティについては当該変更を行ったユーザが判別可能に前記用紙プロパティ選択画面を表示することを特徴としたものである。
【００１０】
本発明の第３の技術手段は、第１または第２の技術手段において、前記用紙プロパティ記憶部が、変更可能に登録された前記用紙プロパティについては当該変更を行ったユーザと紐付けて記憶し、前記表示部が、前記変更可能に登録された用紙プロパティについては当該変更を行ったユーザ以外が選択できないように前記用紙プロパティ選択画面を表示することを特徴としたものである。
【００１１】
本発明の第４の技術手段は、第１〜第３のいずれか１の技術手段において、前記予め登録された用紙プロパティが、管理者のみ変更可能であることを特徴としたものである。
【発明の効果】
【００１２】
本発明の画像形成装置では、用紙トレイへの用紙プロパティの設定を容易に行うことができる。
【図面の簡単な説明】
【００１３】
【図１】本発明の画像形成装置の一例の構成を示すブロック図である。
【図２】図１の画像形成装置のブロック図である。
【図３】図１の画像形成装置の待機中に表示される表示画面の一例を示す図である。
【図４】設定選択画面の一例を示す図である。
【図５】給紙トレイ選択画面の一例を示す図である。
【図６】用紙プロパティ選択画面の一例を示す図である。
【図７】用紙プロパティ編集画面の一例を示す図である。
【図８】候補新規登録画面の例を示す図である。
【図９】候補新規登録画面の例を示す図である。
【図１０】１次転写電流値設定画面の一例を示す図である。
【図１１】２次転写電流値設定画面の一例を示す図である。
【図１２】２次転写電流値設定画面の他の例を示す図である。
【図１３】ＰＴＣ電流値設定画面の一例を示す図である。
【図１４】ＰＴＣ電流値設定画面の一例を示す図である。
【図１５】倍率設定画面の一例を示す図である。
【図１６】印字位置設定画面の一例を示す図である。
【図１７】詳細確認画面の一例を示す図である。
【図１８】給紙トレイ設定画面の他の例を示す図である。
【図１９】給紙トレイ設定画面の別の例を示す図である。
【図２０】用紙プロパティ記憶部に記憶した用紙プロパティの管理テーブルの一例を示す図である。
【図２１】候補新規登録画面の他の例を示す図である。
【発明を実施するための形態】
【００１４】
図１は、本発明の画像形成装置の一実施形態を示す断面図である。この画像形成装置Ｐｓは、画像形成ユニット１、給紙ユニット２、中継ユニット３、後処理ユニット４及び読取りユニット５を備えており、読取りユニット５により読取られた原稿の画像又は外部から受信した画像をカラーもしくは単色で記録用紙に印刷する。また、画像形成装置Ｐｓは、記録用紙上にテストチャートを印刷することができる。
【００１５】
画像形成ユニット１は、画像を記録用紙上に印刷するべく、光走査装置１１、現像装置１２、感光体ドラム１３、ドラムクリーニング装置１４、帯電器１５、中間転写ベルト装置１６、定着装置１７、用紙搬送経路Ｒ１、給紙カセット１８等を備えている。
【００１６】
画像形成装ユニット１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置１２、感光体ドラム１３、ドラムクリーニング装置１４及び帯電器１５は、各色に応じた４種類のトナー像を形成するようにそれぞれ４個ずつ設けられ、それぞれがブラック、シアン、マゼンタ及びイエローに対応付けられて、４つの画像ステーションＰａ、Ｐｂ、Ｐｃ、Ｐｄが構成されている。
【００１７】
各感光体ドラム１３は、それらの表面に感光層を有している。各帯電器１５は、それぞれの感光体ドラム１３の表面を所定の電位に均一に帯電させるための帯電手段である。
【００１８】
光走査装置１１は、レーザダイオード、ポリゴンミラー及び反射ミラーを備えたレーザスキャニングユニット（ＬＳＵ）であり、レーザ光をレーザダイオードからポリゴンミラーへと出射して、レーザ光を回転駆動されているポリゴンミラーで反射させることにより主走査方向に偏向させ、更にレーザ光を反射ミラーで反射させて感光体ドラム表面に入射させて、レーザ光により感光体ドラム表面を走査する。また、ブラック、シアン、マゼンタ、及びイエローに対応するそれぞれのレーザダイオードを設け、各レーザダイオードのレーザ光を画像データに応じて変調し、各レーザ光により各感光体ドラム１３表面を走査して、各感光体ドラム１３表面にそれぞれの静電潜像を形成する。
【００１９】
各現像装置１２は、それぞれの感光体ドラム１３表面に形成された静電潜像を各色のトナーにより現像し、これらの感光体ドラム１３表面にトナー像（可視像）を形成する。各ドラムクリーニング装置１４は、現像及び画像転写後にそれぞれの感光体ドラム１３表面に残留したトナーを除去及び回収する。
【００２０】
中間転写ベルト装置１６は、各感光体ドラム１３の上方に配置されており、中間転写ベルト２１、中間転写ベルト駆動ローラ２２、従動ローラ２３、４つの中間転写ローラ２４及びベルトクリーニング装置２５を備えている。
【００２１】
中間転写ベルト２１は、フィルムを無端ベルト状に形成したものである。中間転写ベルト駆動ローラ２２、従動ローラ２３、各中間転写ローラ２４等は、中間転写ベルト２１を張架して支持し、中間転写ベルト２１を矢印Ｃ方向に周回移動させる。
【００２２】
各中間転写ローラ２４は、中間転写ベルト２１近傍に回転可能に支持され、中間転写ベルト２１を介してそれぞれの感光体ドラム１３に押圧されている。各感光体ドラム１３表面のトナー像が中間転写ベルト２１に順次重ねて転写されて、中間転写ベルト２１上に各色のトナー像を重ねてなるカラー画像（カラーの可視像）が形成される。各感光体ドラム１３から中間転写ベルト２１へのトナー像の転写は、中間転写ベルト２１裏面に圧接されている各中間転写ローラ２４によって行われる。
中間転写ベルト２１上に形成されたカラー画像は、中間転写ベルト２１と共に搬送され、中間転写ベルト２１と二次転写装置２６の二次転写ローラ２６ａ間のニップ域で記録用紙上に転写される。
【００２３】
また、二次転写装置２６によって中間転写ベルト２１上のトナー像が記録用紙上に完全に転写されず、中間転写ベルト２１表面にトナーが残留することがあり、この残留トナーが次工程でトナーの混色を発生させる原因となる。このため、ベルトクリーニング装置２５によって中間転写ベルト２１表面の残留トナーを除去及び回収する。ベルトクリーニング装置２５には、例えばクリーニング部材として、中間転写ベルト２１表面に接触して残留トナーを除去するクリーニングブレードが設けられており、クリーニングブレードが接触する部位で、従動ローラ２３により中間転写ベルト２１裏側が支持されている。
【００２４】
記録用紙は、カラー画像を転写された後、定着装置１７へと搬送される。定着装置１７は、加熱ローラ３１及び加圧ローラ３２等を備えており、加熱ローラ３１と加圧ローラ３２間に記録用紙を挟み込んで搬送する。加熱ローラ３１は、所定の定着温度となるように制御されており、加圧ローラ３２と共に記録用紙を熱圧着することにより、記録用紙に転写されたカラー画像（各色のトナー像）を溶融、混合、圧接し、記録用紙に対して熱定着させる。
【００２５】
また、画像形成装ユニット１の下部には、記録用紙を供給する給紙カセット１８が設けられている。
画像形成装ユニット１には、給紙カセット１８内のトレイ１、給紙ユニット２内のトレイＡ，Ｂ，Ｃ、手差しトレイ１９から供給された記録用紙を、二次転写装置２６や定着装置１７を経由させて用紙排出トレイ１９に送るための、用紙搬送経路Ｒ１が設けられている。
【００２６】
各給紙トレイの端部には用紙ピックアップローラ３３が設けられており、この用紙ピックアップローラ３３により各給紙トレイから記録用紙が１枚ずつ引き出されて用紙搬送経路Ｒ１へと搬送される。
【００２７】
用紙搬送経路Ｒ１に沿って、用紙レジストローラ３４、定着装置１７、搬送ローラ３５、及び排紙ローラ３６等が配置されている。搬送ローラ３５は、記録用紙の搬送を促進補助するための小型のローラであり、複数組設けられている。
【００２８】
用紙レジストローラ３４は、搬送されて来た記録用紙を一旦停止させて、記録用紙の先端を揃え、中間転写ベルト２１と二次転写装置２６の二次転写ローラ２６ａ間のニップ域で中間転写ベルト２１上のカラー画像が記録用紙に転写されるように、各感光体ドラム１３及び中間転写ベルト２１の回転にあわせて、記録用紙をタイミングよく搬送する。
記録用紙は、定着装置１７でカラー画像を定着され、定着装置１７を通過した後、排紙ローラ３６によって中継ユニット３に排出される。
【００２９】
なお、記録用紙の表面だけではなく、裏面の印字を行う場合は、記録用紙を各排紙ローラ３６から反転経路Ｒｒへと逆方向に搬送して、記録用紙の表裏を反転させ、記録用紙をレジストローラ３４へと再度導き、記録用紙の表面と同様に、記録用紙の裏面に画像を記録して定着し、記録用紙を中継ユニット３へと搬出する。
【００３０】
中継ユニット３は、記録用紙を画像形成ユニット１から受け取ると、記録用紙に対して樹脂コーティング（光沢処理）を施すことなく、記録用紙の中継搬送のみを行って、記録用紙を後処理ユニット４又は読取りユニット５に搬出するか、あるいは記録用紙に対して樹脂コーティング（光沢処理）を施した後に、記録用紙を後処理ユニット４に搬出する。
【００３１】
この中継ユニット３は、直線状のスルー搬送経路Ｒ３、Ｕ字状の引込み搬送経路Ｒ４、読取りユニット５に通じる分岐搬送経路Ｒ５、スルー搬送経路Ｒ３の用紙出入り口に設けられた一組の搬入ローラ４２及び一組の搬出ローラ４３、スルー搬送経路Ｒ３及び引込み搬送経路Ｒ４に沿って配置された複数組の搬送ローラ４４、各搬送経路Ｒ３、Ｒ４の分岐位置に配置されたフラッパー４５、各搬送経路Ｒ３、Ｒ５の分岐位置に配置されたフラッパー４７及び引込み搬送経路Ｒ４に設けられた２台のフィルムコーティング装置４６等を備え、記録用紙に対して樹脂コーティング（光沢処理）を施すときと、それ以外のときとで記録用紙の搬送経路を切替えている。
【００３２】
後処理ユニット４は、記録用紙を中継ユニット３から受け取ると、記録用紙をそのまま排出するか、あるいは記録用紙に対してステープル等の後処理を施した後に、記録用紙を排出する。
後処理ユニット４は、排出搬送経路Ｒ６、排出搬送経路Ｒ６から分岐したステープル搬送経路Ｒ７、排出搬送経路Ｒ６の用紙入り口に設けられた一組の搬入ローラ５１、各搬送経路Ｒ６、Ｒ７の用紙出口に設けられた二組の排出ローラ５２と２つの排紙トレイ５３、５４、各搬送経路Ｒ６、Ｒ７に沿って配置された複数組の搬送ローラ５５、各搬送経路Ｒ６、Ｒ７の分岐位置に配置されたフラッパー５６及びステープル搬送経路Ｒ７に設けられたステープル装置５７を備え、記録用紙に対して後処理を施すときと施さないときとで記録用紙の搬送経路を適宜切替えている。
【００３３】
読取りユニット５は、画像形成ユニット１により予め設定されたテストチャートが記録用紙に印刷されたときに、この記録用紙を画像形成ユニット１から中継ユニット３を介して受け取り、記録用紙上のテストチャートを読取る。
この読取りユニット５は、中継ユニット３の上側に搭載されており、２つの搬送経路Ｒ８、Ｒ９、各搬送経路Ｒ８、Ｒ９に沿って配置された複数組の搬送ローラ６４、記録用紙上のテストチャートを読取る読取り装置６１、及び排紙トレイ６２を備えている。
【００３４】
読取りユニット５において、記録用紙は、中継ユニット３の各搬送ローラ４４を通じて搬送経路Ｒ８へと搬入され、搬送経路Ｒ８を通じて読取り装置６１へと搬送され、更に搬送経路Ｒ９及び各排出ローラ６３を通じて排紙トレイ６２へと排出される。読取り装置６１は、記録用紙の通過に際し、記録用紙上のテストチャートを読取って、テストチャートを示す画像データを出力する。
【００３５】
このテストチャートを示す画像データは、画像形成装置Ｐｓの画像処理部（図示せず）に入力され、この画像処理部において、テストチャートに基づき画像形成ユニット１により記録用紙上に形成される画像が校正される。例えば、画像のカラーバランス、画像濃度、諧調等が校正される。
【００３６】
ところで、読取りユニット５の読取り装置６１は、記録用紙上のテストチャートの各色を高精度で分析して読取る分光測色器を備えている。また、分光測色器としては、白色乃至灰色の校正基準部材を読取って、この校正基準部材の読取りデータに基づき分光測色器のキャリブレーションを行い、テストチャートの各色の読取り精度を高めるものがある。読取装置１では、校正基準部材を読取って、テストチャートの各色の読取り精度を高めることが可能な分光測色器を適用している。
【００３７】
図２は、図１の画像形成装置Ｐｓのブロック図である。
画像形成装置Ｐｓは、画像形成ユニット１と、読取ユニット５に加えて、制御部６と、操作部７と、表示部８と、記憶部９と、を備える。
【００３８】
制御部６は、画像形成装置Ｐｓの各要素を制御するものであり、例えば、ＣＰＵ（Central Processing Unit）と、ＲＡＭ（Random Access Memory）やＲＯＭ（Read Only Memory）等の記憶装置を含んで成る。
操作部７は、ユーザの操作により制御命令などの情報が入力されるタッチパネル及び／又はテンキー等から成る。
表示部８は、操作画面や操作のために必要な情報を表示するもので、液晶表示パネル等から成る。
記憶部９は、用紙パラメータの組である用紙プロパティ等の各種情報を記憶するもので、ＨＤＤ（Hard Disk Drive）やＲＯＭ、ＲＡＭ等の記憶装置から成り、用紙プロパティ記憶部９ａと、候補記憶部９ｂとを有する。
【００３９】
用紙プロパティ記憶部９ａは、用紙プロパティのうち各用紙トレイに頻繁に設定される用紙プロパティを記憶する。用紙プロパティ記憶部９ａに記憶する用紙プロパティには、工場出荷時などに予め登録され基本的に変更不可なものと、操作部７を介したユーザ操作に応じて編集可能に登録されたものとが含まれる。なお、前者の用紙プロパティは、画像形成装置Ｐｓの管理者のみが編集可能としてもよい。
候補記憶部９ｂは、用紙プロパティ記憶部９ａに記憶する用紙プロパティの候補を記憶する。
【００４０】
画像形成装置Ｐｓでは、基本的に、用紙プロパティ記憶部９ａに記憶された用紙プロパティの中から、各用紙トレイに設定する用紙プロパティが選択される。この選択が可能なように、表示部８が、用紙プロパティ選択画面を表示する。用紙プロパティ選択画面には、用紙プロパティ記憶部９ａに記憶されている用紙プロパティの一部または全部が表示され、該表示された用紙プロパティの中から用紙トレイに設定する用紙プロパティを選択可能となっている。画像形成装置Ｐｓは、選択された用紙プロパティに従って、該当する用紙トレイから搬出した用紙に対して、画像形成ユニット１により画像形成を行う。
【００４１】
このように、用紙プロパティ記憶部９ａに記憶されている、頻繁に設定される用紙プロパティのみから選択するような構成とすることで、単純に全ての用紙種類について用紙プロパティを登録しておき、その登録していたものの中から選ぶ構成に比べて、簡単に用紙プロパティの選択を行うことができる。この構成は特に、用紙種類の多い商業分野で好適である。
【００４２】
用紙プロパティ記憶部９ａに記憶されている用紙プロパティの中にユーザ所望の用紙プロパティがない場合もある。この場合、画像形成装置Ｐｓでは、候補記憶部９ｂに記憶された用紙プロパティの候補の中から、用紙プロパティが選択され、用紙プロパティ記憶部９ａに記憶／登録される。この動作が可能なように、表示部８が用紙プロパティ選択画面に対する操作に応じて、該選択画面に代えて用紙プロパティ編集画面を表示する。用紙プロパティ編集画面には、候補記憶部９ｂに記憶されている用紙プロパティの候補が表示され、該表示された用紙プロパティの候補の中から用紙プロパティ記憶部９ａに上書き記憶または新規記憶する用紙プロパティを選択可能となっている。
【００４３】
さらに、候補記憶部９ｂに記憶された用紙プロパティの候補の中にもユーザ所望の用紙プロパティがない場合もある。この場合、画像形成装置Ｐｓでは、用紙プロパティの候補となる用紙プロパティが操作部７を介してユーザ操作により編集／登録される。この編集／登録は、表示部８が用紙プロパティ編集画面に対する操作に応じて該編集画面に代えて表示する候補編集画面／候補新規登録画面を介して行われる。
【００４４】
上述のように、画像形成装置Ｐｓでは、各用紙トレイに設定する用紙プロパティの選択などは表示部８が表示する操作画面を介して行われる。以下、各用紙トレイに設定する用紙プロパティの選択に係る操作画面の例を図３〜図１６を用いて説明する。
【００４５】
図３は、待機中の画像形成装置Ｐｓの表示部８に表示される表示画面の一例を示す図である。
図３の表示画面Ｐ１では、コピー機能等の各機能の設定画面に遷移するための「コピー」ボタンＰ１ａ、「ＦＡＸ」ボタンＰ１ｂ、「Ｅ−ＭＡＩＩＬ」ボタンＰ１ｃの他に、「設定」ボタンＰ１ｄが表示されている。「設定」ボタンＰ１ｄが操作されると、画像形成装置Ｐｓの表示部８は、ネットワーク設定等の基本設定のうちいずれについて設定するかを選択するための設定選択画面を表示する。
【００４６】
図４は、設定選択画面の一例を示す図である。
図４の設定選択画面Ｐ２には、「システム設定」ボタンＰ２ａ、「ネットワーク設定」ボタンＰ２ｂ、「給紙トレイ設定」ボタンＰ２ｃが表示されている。「給紙トレイ設定」Ｐ２ｃが操作されると、画像形成装置Ｐｓの表示部８は、いずれの給紙トレイについての用紙パラメータすなわち用紙プロパティの設定を行うかを選択するための給紙トレイ選択画面を表示する。
【００４７】
図５は、給紙トレイ選択画面の一例を示す図である。
図５の給紙トレイ選択画面Ｐ３には、設定対象の給紙トレイを指定する「トレイ１」ボタンＰ３ａ、「手差し」（トレイ）ボタンＰ３ｂ、「トレイＡ」ボタンＰ３ｃ、「トレイＢ」ボタンＰ３ｄ、「トレイＣ」ボタンＰ３ｅが表示されており、「トレイ１」ボタンＰ３ａが操作されると、画像形成装置Ｐｓの表示部８は、トレイ１の用紙プロパティ選択画面を表示する。
【００４８】
図６は、トレイ１の用紙プロパティ選択画面の一例を示す図である。
図６の用紙プロパティ選択画面Ｐ４には、設定対象の給紙トレイの名称「トレイ１」の情報Ｐ４ａが表示されている。さらに、上記画面Ｐ４には、トレイ１に載置する用紙の大きさすなわちサイズを選択するためのサイズ選択タブＰ４ｂと、トレイ１に載置する用紙に対して設定する用紙プロパティすなわち用紙タイプを選択するためのプロパティ選択タブＰ４ｃが表示されており、図６の状態は、プロパティ選択タブＰ４ｃが選択された状態である。
【００４９】
プロパティ選択タブＰ４ｃには、「用紙タイプを選んで下さい。」というメッセージＰ４ｄが表示されている。また、同タブ４ｃには、用紙プロパティ記憶部９ａに記憶されている用紙プロパティをその名称で示す名称ボタンとして、用紙プロパティの内容が基本的に変更不可な「普通紙１」ボタンＰ４ｅ、「普通紙２」ボタンＰ４ｆや、ユーザ操作に応じて用紙プロパティの内容が編集可能な「ユーザタイプ１」ボタンＰ４ｇが表示されている。さらに、プロパティ選択タブＰ４ｃには、現在選択されている用紙プロパティの名称の情報Ｐ４ｈが表示されている。
【００５０】
また、用紙プロパティ選択画面Ｐ４には、選択されている名称ボタンの用紙プロパティを設定するための「ＯＫ」ボタンＰ４ｉが表示されている。用紙プロパティの名称ボタンのいずれかが選択された状態で「ＯＫ」ボタン４ｉが押されると、画像形成装置Ｐｓでは、選択されていた名称ボタンに対応付けられた用紙プロパティが、トレイ１の用紙プロパティとして設定される。
【００５１】
さらに、給紙トレイ設定画面Ｐ４には、選択されている用紙プロパティの内容を登録／編集するための「用紙プロパティの登録／編集」ボタンＰ４ｊと、同用紙プロパティの詳細を確認するための「用紙プロパティの詳細を確認する」ボタンＰ４ｋが表示されている。
画像形成装置Ｐｓの表示部８は、図６に示すように用紙プロパティの内容が編集可能な「ユーザタイプ１」ボタンＰ４ｇが選択された状態で、「用紙プロパティの登録／編集」ボタンＰ４ｊが操作されると、「ユーザタイプ１」についての用紙プロパティ編集画面を用紙プロパティ選択画面Ｐ４に代えて表示する。また、画像形成装置Ｐｓの表示部８は、「ユーザタイプ１」ボタンＰ４ｇが選択された状態で、「用紙プロパティの詳細を確認する」ボタンＰ４ｋが操作されると、「ユーザタイプ１」についての用紙プロパティ詳細画面を用紙プロパティ選択画面Ｐ４に代えて表示する。
【００５２】
図７は、用紙プロパティ編集画面の一例を示す図である。
図７の用紙プロパティ編集画面Ｐ５には、候補記憶部９ｂに記憶された用紙プロパティの候補をその名称と検索番号で示す候補情報ボタンＰ５ａ〜５ｉが複数表示されている。
画像形成装置Ｐｓでは、表示されている候補情報ボタンＰ５ａ〜５ｉのうちいずれかが選択された状態で、ＯＫボタンＰ５ｊが操作されると、選択された候補情報ボタンが示す用紙プロパティの候補が、例えば「ユーザタイプ１」の用紙プロパティとして、用紙プロパティ記憶部９ａに記憶される。
【００５３】
また、用紙プロパティ編集画面Ｐ５には、用紙プロパティの候補の内容を編集するための編集ボタンＰ５ｋが表示されている。画像形成装置Ｐｓでは、用紙プロパティ編集画面Ｐ５の候補情報ボタンＰ５ａ〜５ｉのうちいずれかが選択された状態で、編集ボタンＰ５ｋが操作されると、表示部８が、用紙プロパティ編集画面Ｐ５に代えて候補編集画面を表示する。
さらに、用紙プロパティ編集画面Ｐ５には、用紙プロパティの候補を新規に登録するための新規登録ボタンＰ５ｌが表示されている。画像形成装置Ｐｓでは、新規登録ボタンＰ５ｌが操作されると、表示部８が、用紙プロパティ編集画面Ｐ５に代えて候補新規登録画面を表示する。
【００５４】
図８及び図９は、候補新規登録画面の例を示す図である。なお、候補編集画面は、候補新規登録画面と同様であるのでその説明を省略する。また、候補編集画面及び候補新規登録画面はそれぞれ、本発明の、候補記憶部９ｂに記憶する用紙プロパティの候補の各用紙パラメータを設定する「候補編集登録画面」の一例である。
図８及び図９の候補新規登録画面Ｐ６，Ｐ７には、坪量や用紙種類などを設定するための基本設定タブＰ６ａと、転写電流値などを設定するための詳細設定タブＰ６ｂとが表示されている。図８及び図９の状態はそれぞれ、基本設定タブＰ６ａ及び詳細設定タブＰ６ｂが選択された状態であり、画像形成装置Ｐｓの表示部８は、図８（Ａ），（Ｂ）の状態で詳細設定タブＰ６２が選択されると、図９（Ａ）の候補新規登録画面Ｐ７を表示する。
【００５５】
また、図８（Ａ）の候補新規登録画面Ｐ６のスクロールバーＰ６ｃを下方に移動する操作がなされたときの操作画面が図８（Ｂ）の候補新規登録画面Ｐ６であり、図９（Ａ）の候補新規登録画面Ｐ７のスクロールバーＰ７ａを下方に移動する操作がなされたときの操作画面が図９（Ｂ）の候補新規登録画面Ｐ７である。
【００５６】
候補新規登録画面Ｐ６の基本設定タブＰ６ａには、図８（Ａ）に示すように、用紙プロパティの候補として登録する用紙プロパティについて、名称を設定する領域Ｐ６ｄ、検索番号を設定する領域Ｐ６ｅ、坪量を設定する領域Ｐ６ｆ、用紙種類を設定する領域Ｐ６ｇが表示されている。また、基本設定タブＰ６ａには、その他に、図８（Ｂ）に示すように、同用紙プロパティについて、色紙である否か等の用紙情報を設定する領域Ｐ６ｈ、ステープル可能か否か等の用紙属性を設定する領域Ｐ６ｉが表示されている。
【００５７】
一方、詳細設定タブＰ６ｂには、図９（Ａ）に示すように、用紙プロパティの候補として登録する用紙プロパティについて、定着温度を設定する領域Ｐ７ｂ、インラインキャリブレーションを実行するか否かを設定する領域Ｐ７ｃ、重送検知を行うか否かを設定する領域Ｐ７ｄ、１次転写電流値を設定するための領域Ｐ７ｅ、２次転写電流値を設定するための領域Ｐ７ｆが表示されている。また、詳細設定タブＰ６ｂには、その他に、図９（Ｂ）に示すように、同用紙プロパティについて、ＰＴＣ電流値を設定するための領域Ｐ７ｇ、表面／裏面での倍率を設定するための領域Ｐ７ｈ、表面／裏面での印字位置を設定するための領域Ｐ７ｉが表示されている。
【００５８】
図８や図９の候補新規登録画面Ｐ６，Ｐ７の登録ボタンＰ６ｊが操作されると、画像形成装置Ｐｓでは、該登録画面Ｐ６，Ｐ７や、後述の図１０〜図１６の操作画面を介して設定された用紙プロパティを、用紙プロパティの候補として、候補記憶部９ｂに記憶する。これにより、ユーザが設定した用紙プロパティを用紙トレイに設定することができるようになる。
【００５９】
図１０は、図９の候補新規登録画面Ｐ７の１次転写電流値の設定領域Ｐ７ｅの変更ボタン７ｊが操作されたときに表示部８が表示する１次転写電流値設定画面の一例を示す図である。
図１０の１次転写電流値設定画面Ｐ８には、１次転写電流値の設定領域として、白黒画像形成時用の領域Ｐ８ａと、カラー画像形成時の黒色、シアン、マゼンタ、イエロー用の領域Ｐ８ｂ、Ｐ８ｃ、Ｐ８ｄ、Ｐ８ｅとが表示されている。画像形成装置Ｐｓにおいて、ユーザは、各領域のＰ８ａ〜Ｐ８ｅの「＋」ボタン、「−」ボタンを操作する毎に、設定する１次転写電流値を数１０〜数１００μＡの単位で調節することができる。
【００６０】
図１１は、図８（Ａ）の候補新規登録画面Ｐ６の用紙種類の設定領域Ｐ６ｇにおいて「非コート紙」が設定された状態で、図９の候補新規登録画面Ｐ７の２次転写電流値の設定領域Ｐ７ｆの変更ボタン７ｋが操作されたときに表示部８が表示する２次転写電流値設定画面の一例を示す図である。
図１１の２次転写電流値設定画面Ｐ９には、２次転写電流値の設定領域として、白黒画像形成時の表面用の領域Ｐ９ａ及び裏面用の領域Ｐ９ｂと、カラー画像形成時の表面用の領域Ｐ９ｃ及び裏面用の領域Ｐ９ｄとが表示されている。画像形成装置Ｐｓにおいて、ユーザは、各領域のＰ９ａ〜Ｐ９ｄの「＋」ボタン、「−」ボタンを操作する毎に、設定する２次転写電流値を数１０〜数１００μＡの単位で調節することができる。
【００６１】
図１２は、図８（Ａ）の候補新規登録画面Ｐ６の用紙種類の設定領域Ｐ６ｇにおいて「非コート紙」ではない用紙種類が設定された状態で、図９の候補新規登録画面Ｐ７の２次転写電流値の設定領域Ｐ７ｆの変更ボタン７ｋが操作されたときに表示部８が表示する２次転写電流値設定画面の一例を示す図である。
図１２の２次転写電流値設定画面Ｐ１０には、２次転写電流値の設定領域として、白黒画像形成時用の領域Ｐ１０ａと、カラー画像形成時用の領域Ｐ１０ｂとが表示されている。画像形成装置Ｐｓにおいて、ユーザは、各領域のＰ１０ａ、Ｐ１０ｂの「＋」ボタン、「−」ボタンを操作する毎に、設定する２次転写電流値を数１０〜数１００μＡの単位で調節することができる。
【００６２】
図１３は、図８（Ａ）の候補新規登録画面Ｐ６の用紙種類の設定領域Ｐ６ｇにおいて「エンボス紙」ではない用紙種類が設定された状態で、図９の候補新規登録画面Ｐ７のＰＴＣ電流値の設定領域Ｐ７ｇの変更ボタン７ｌが操作されたときに表示部８が表示するＰＴＣ電流値設定画面の一例を示す図である。
図１３のＰＴＣ電流値設定画面Ｐ１１には、ＰＴＣ電流値の設定領域として、白黒画像形成時用の領域Ｐ１１ａと、カラー画像形成時用の領域Ｐ１１ｂとが表示されている。画像形成装置Ｐｓにおいて、ユーザは、各領域のＰ１１ａ、Ｐ１１ｂの「＋」ボタン、「−」ボタンを操作する毎に、設定するＰＴＣ電流値を数１０〜数１００μＡの単位で調節することができる。
【００６３】
図１４は、図８（Ａ）の候補新規登録画面Ｐ６の用紙種類の設定領域Ｐ６ｇにおいて「エンボス紙」が設定された状態で、図９の候補新規登録画面Ｐ７のＰＴＣ電流値の設定領域Ｐ７ｇの変更ボタン７ｌが操作されたときに表示部８が表示するＰＴＣ電流値設定画面の一例を示す図である。
図１４のＰＴＣ電流値設定画面Ｐ１２には、として、白黒画像形成時とカラー画像形成時で共通のＰＴＣ電流値の設定領域Ｐ１２ａが表示されている。画像形成装置Ｐｓにおいて、ユーザは、各領域のＰ１２ａの「＋」ボタン、「−」ボタンを操作する毎に、設定するＰＴＣ電流値を数１０〜数１００μＡの単位で調節することができる。
【００６４】
図１５は、図９の候補新規登録画面Ｐ７の表面／裏面での倍率設定領域Ｐｈの変更ボタン７ｍが操作されたときに表示部８が表示する倍率設定画面の一例を示す図である。
図１５の倍率設定画面Ｐ１３には、倍率の設定領域として、表面の幅方向用の領域Ｐ１３ａと、表面の縦方向用の領域Ｐ１３ｂと、裏面の幅方向用の領域Ｐ１３ｃと、裏面の縦方向用の領域Ｐ１３ｄと、が表示されている。画像形成装置Ｐｓにおいて、ユーザは、各領域のＰ１３ａ〜Ｐ１３ｄの「＋」ボタン、「−」ボタンを操作する毎に、設定する倍率を０.０１％の単位で調節することができる。
【００６５】
図１６は、図９の候補新規登録画面Ｐ７の表面／裏面での印字位置設定領域Ｐ７ｉの変更ボタン７ｎが操作されたときに表示部８が表示する印字位置設定画面の一例を示す図である。
図１６の印字値設定画面Ｐ１４には、印刷位置の設定領域として、表面の幅方向用の領域Ｐ１４ａと、表面の縦方向用の領域Ｐ１４ｂと、裏面の幅方向用の領域Ｐ１４ｃと、裏面の縦方向用の領域Ｐ１４ｄと、が表示されている。画像形成装置Ｐｓにおいて、ユーザは、各領域のＰ１４ａ〜Ｐ１４ｄの「＋」ボタン、「−」ボタンを操作する毎に、設定する位置を０.１ｍｍの単位で調節することができる。
【００６６】
図１０〜図１６の操作画面でＯＫボタンが操作されると、画像形成装置Ｐｓでは、該操作画面を介して設定入力された設定値を記憶部９に保持するとともに、表示部８が該操作画面に代えて、図９（Ａ）の候補新規登録画面Ｐ７を再表示する。
【００６７】
図１７は、給紙トレイ設定画面Ｐ４の「用紙プロパティの詳細を確認する」ボタン４ｋが操作されたときに表示部８が表示する詳細確認画面の一例を示す図である。
図１７の詳細確認画面Ｐ１５には、給紙トレイ設定画面Ｐ４において選択されていた用紙プロパティの詳細な情報、例えば、その用紙プロパティの名称、検索番号、坪量、用紙種類、用紙情報、用紙属性、定着温度の情報が表示されている。詳細確認画面Ｐ１５でＯＫボタンＰ１５ａが操作されると、画像形成装置Ｐｓでは、例えば、表示部８が該詳細確認画面Ｐ１５に代えて、図６の給紙トレイ設定画面Ｐ４を再表示する。
【００６８】
図１８は、給紙トレイ設定画面の他の例を示す図である。
図１８の給紙トレイ設定画面Ｐ１６には、用紙プロパティの変更を行い登録したユーザの名称「hasegawa」が、該当する用紙プロパティの名称に代えて、用紙プロパティの名称の情報Ｐ４ｈ´と、名称ボタンＰ４ｇ´に表示されている。この表示を行う場合、用紙プロパティ記憶部９ａは、ユーザ変更可能な用紙プロパティについては、変更を行ったユーザの名称と紐付けて記憶する。ユーザの名称は、用紙プロパティの変更を行った時のログインユーザの名称を自動で取得するようにしてもよいし、同変更の際にユーザ入力させるようにしてもよい。
図１８のような表示を行うことにより、ユーザオリジナルの設定を他のユーザが誤って設定する可能性を低減することができる。
【００６９】
図１９は、給紙トレイ設定画面の別の例を示す図である。
図１９の給紙トレイ設定画面Ｐ１７は、用紙プロパティの変更が行われた場合であって、該変更を行ったユーザとは異なったユーザがログインしているときに、表示部８が表示する操作画面である。給紙トレイ設定画面Ｐ１７には、用紙プロパティの変更を行い登録したユーザの名称「hasegawa」が、該当する用紙プロパティの名称に代えて、用紙プロパティの名称の情報Ｐ４ｈ”に表示され、名称ボタンＰ４ｇ”にグレーアウト表示され、名称ボタンＰ４ｇ”が選択できないようになっている。すなわち、変更可能な用紙プロパティについては、その設定を行ったユーザ以外に内容が公開されず、また、用紙トレイに設定できないようになっている。
【００７０】
この動作を行う場合、用紙プロパティ記憶部９ａは、ユーザ変更可能な用紙プロパティについては、変更を行ったユーザの名称と紐付けて記憶する。
給紙トレイ設定画面Ｐ１７のような表示を行うことにより、ユーザオリジナルの設定を他のユーザが誤って設定するのを防ぐことができる。
【００７１】
また、画像形成装置Ｐｓにおいて、変更された用紙プロパティについて、当該変更を行ったユーザ以外のユーザによる再変更を許可するか否か設定できることが好ましい。
【００７２】
図２０は、画像形成装置Ｐｓにおいて、変更された用紙プロパティについて、内容の公開や再変更を制限する場合に、記憶部９が記憶する管理テーブルの一例を示す図である。
図２０の管理テーブルＴは、用紙プロパティ毎に、変更権限及び公開権限を管理するテーブルである。この管理テーブルＴに従って、画像形成装置Ｐｓは、用紙プロパティ記憶部９ａに工場出荷時等に予め登録された用紙プロパティ「普通紙１」、「普通紙２」については、管理者のみ内容の変更を可能とし、全ユーザについて内容の閲覧を可能とする。また、ユーザ「hasegawa」により用紙プロパティ記憶部９ａに登録された用紙プロパティ「ユーザタイプ１」については、ユーザ「hasegawa」のみ内容の変更を可能とし、ユーザ「hasegawa」のみ内容の閲覧を可能とする。
【００７３】
図２１は、候補新規登録画面の他の例を示す図である。
図８（Ｂ）の候補新規登録画面Ｐ６のスクロールバーＰ６ｃをさらに下方に移動する操作がなされたときの操作画面が図２１の候補新規登録画面Ｐ１８である。
候補新規登録画面Ｐ１８の基本設定タブＰ６ａには、用紙プロパティの候補として登録する用紙プロパティについて、他のユーザにも公開するか否か設定する公開設定領域Ｐ１８ａが表示されている。当該領域Ｐ１８ａの「非公開ボタン」が選択された状態で「登録」ボタンＰ６ｊが操作されると、例えば、該当する用紙プロパティについては登録／変更を行ったユーザ以外の変更及び閲覧が不可になるよう図２０の管理テーブルＴが変更される。
【００７４】
より具体的には、ログインユーザが「hasegawa」であるときに、「ユーザタイプ１」についての候補新規登録画面Ｐ１８において「非公開ボタン」が選択された状態で「登録」ボタンＰ６ｊが操作されると、図２０の管理テーブルＴの「ユーザタイプ１」の変更権限及び公開先が「hasegawa」となる。この場合、ユーザ「hasegawa」が設定した用紙プロパティは、ログインユーザがユーザ「hasegawa」であったときのみ公開され、ログインユーザが他のユーザであったときは非公開となり利用ができなくなる。また、同様に、上記候補新規登録画面Ｐ１８において「公開ボタン」が選択された状態で「登録」ボタンＰ６ｊが操作されると、図２０の管理テーブルＴの「ユーザタイプ１」の変更権限及び公開先が「全ユーザ」となる。この場合、ユーザ「hasegawa」が設定した用紙プロパティは、ログインユーザが他のユーザであったときにも、公開され利用可能となる。
【００７５】
画像形成装置は、用紙が載置された用紙トレイを備え、該用紙トレイから搬出した前記用紙に対して、用紙パラメータの組である用紙プロパティに従って画像形成を行うものであって、予め登録された前記用紙プロパティと、ユーザ操作に応じて変更可能に登録された前記用紙プロパティと、を記憶する用紙プロパティ記憶部と、前記用紙プロパティ記憶部に記憶する用紙プロパティの候補を記憶する候補記憶部と、前記用紙プロパティ記憶部に記憶されている前記用紙プロパティが表示されると共に、該表示された用紙プロパティの中から前記用紙トレイに設定する用紙プロパティを選択可能とした用紙プロパティ選択画面、前記候補記憶部に記憶されている前記用紙プロパティの候補が表示されると共に、該表示された用紙プロパティの候補の中から前記用紙プロパティ記憶部に上書き記憶または新規記憶する前記用紙プロパティを選択可能とした用紙プロパティ編集画面、及び、前記候補記憶部に記憶する前記用紙プロパティの候補の各用紙パラメータを設定する候補編集登録画面を表示する表示部とを備える。これにより、用紙トレイへの用紙プロパティの設定を容易に行うことができる。
【００７６】
また、前記用紙プロパティ記憶部が、変更可能に登録された前記用紙プロパティについては当該変更を行ったユーザと紐付けて記憶し、前記表示部が、前記変更可能に登録された用紙プロパティについては当該変更を行ったユーザが判別可能に前記用紙プロパティ選択画面を表示することができるようにしてもよい。これにより、ユーザオリジナルの設定を他のユーザが誤って設定する可能性を低減することができる。
【００７７】
なお、前記用紙プロパティ記憶部が、変更可能に登録された前記用紙プロパティについては当該変更を行ったユーザと紐付けて記憶し、前記表示部が、前記変更可能に登録された用紙プロパティについては当該変更を行ったユーザ以外が選択できないように前記用紙プロパティ選択画面を表示することも好ましい。これにより、ユーザオリジナルの設定を他のユーザが誤って設定するのを防ぐことができる。
【００７８】
さらに、前記予め登録された用紙プロパティが、管理者のみ変更可能とすることもできる。これにより、予め登録された用紙プロパティについて、不要に変更されるのを防ぐと共に必要に応じて変更することができる。
【符号の説明】
【００７９】
Ｐｓ…画像形成装置、１…画像形成ユニット、５…読取りユニット、６…制御部、７…操作部、８…表示部、９…記憶部、９ａ…用紙プロパティ記憶部、９ｂ…候補記憶部。
【図１】
2015004732.tif 000003
【図２】
2015004732.tif 000004
【図３】
2015004732.tif 000005
【図４】
2015004732.tif 000006
【図５】
2015004732.tif 000007
【図６】
2015004732.tif 000008
【図７】
2015004732.tif 000009
【図８】
2015004732.tif 000010
【図９】
2015004732.tif 000011
【図１０】
2015004732.tif 000012
【図１１】
2015004732.tif 000013
【図１２】
2015004732.tif 000014
【図１３】
2015004732.tif 000015
【図１４】
2015004732.tif 000016
【図１５】
2015004732.tif 000017
【図１６】
2015004732.tif 000018
【図１７】
2015004732.tif 000019
【図１８】
2015004732.tif 000020
【図１９】
2015004732.tif 000021
【図２０】
2015004732.tif 000022
【図２１】
2015004732.tif 000023